(57)【要約】【課題】排気が塵埃を吹き飛ばしたり使用者に当たったりしないように排気方向を調節可能な電気掃除機を提供すること。【解決手段】円筒状の掃除機本体２を有し、この掃除機本体２を把持して使用される小型の電気掃除機１において、前記掃除機本体２の端部に排気体４１が設けられ、この排気体４１に掃除機本体２の軸線Ｘ方向と交差する方向に排気する排気口４２が設けられると共に、前記排気体４１が前記掃除機本体２の軸線Ｘ回りに回動可能に構成されることで、排気が被清掃面上の塵埃を吹き飛ばさず且つ使用者に当たらない方向に前記排気口４２を向けることができる。【選択図】図１
2020031863.tif 000002
【特許請求の範囲】
【請求項１】
軸線方向を有する掃除機本体を把持して使用される小型の電気掃除機において、
前記掃除機本体の端部に排気体が設けられ、この排気体に掃除機本体の軸線方向と交差する方向に排気する排気口が設けられると共に、前記排気体が前記掃除機本体の軸線回りに回動可能に構成されることを特徴とする電気掃除機。
【請求項２】
前記排気体が、前記掃除機本体の軸線回りに３６０度回動可能であることを特徴とする請求項１記載の電気掃除機。
【請求項３】
前記掃除機本体内に電動送風機及び電池が収容されると共に、前記排気体の軸直方向寸法が前記掃除機本体の軸直方向寸法と同じであることを特徴とする請求項１記載の電気掃除機。
【請求項４】
前記排気体が、端部に向かって軸直方向寸法が小さくなることを特徴とする請求項３記載の電気掃除機。
【発明の詳細な説明】
【技術分野】
【０００１】
本発明は、掃除機本体を把持して使用する小型の電気掃除機に関するものである。
【背景技術】
【０００２】
従来、この種の電気掃除機としては、掃除機本体の吹き出し口（排気口）の向きを上下方向に変化させることができる横型の電気掃除機が知られている（例えば、特許文献１参照。）。このように、排気の吹き出し方向を上下に変化させることで、床面等の塵埃を排気で吹き飛ばさないようにすることができる。
【先行技術文献】
【特許文献】
【０００３】
【特許文献１】特開２０１１−１５６１３８号公報
【発明の概要】
【発明が解決しようとする課題】
【０００４】
しかしながら、手で持って使用される電気掃除機、特に、机上や卓上を掃除する小型の電気掃除機では、使用者と電気掃除機の距離が近いこともあり、使用者に排気が当たって不快になるという問題がある。そして、小型の電気掃除機では、姿勢が頻繁に変わったり、使用者の利き腕や持ち方が異なったりするので、使用者と電気掃除機の位置関係が様々である。このように、小型の電気掃除機では、排気が使用者に当たらず且つ机上や卓上の塵埃を吹き飛ばさないようにするためには、排気口を上下に変化させるだけでは不十分である。
【０００５】
本発明は以上の問題点を解決し、排気が塵埃を吹き飛ばしたり使用者に当たったりしないように排気方向を調節可能な電気掃除機を提供することを目的とする。
【課題を解決するための手段】
【０００６】
本発明の請求項１に記載の電気掃除機は、軸線方向を有する掃除機本体を把持して使用される小型の電気掃除機において、前記掃除機本体の端部に排気体が設けられ、この排気体に掃除機本体の軸線方向と交差する方向に排気する排気口が設けられると共に、前記排気体が前記掃除機本体の軸線回りに回動可能に構成されるものである。
【０００７】
また、本発明の請求項２に記載の電気掃除機は、請求項１において、前記排気体が、前記掃除機本体の軸線回りに３６０度回動可能なものである。
【０００８】
また、本発明の請求項３に記載の電気掃除機は、請求項１において、前記掃除機本体内に電動送風機及び電池が収容されると共に、前記排気体の軸直方向寸法が前記掃除機本体の軸直方向寸法と同じものである。
【０００９】
また、本発明の請求項４に記載の電気掃除機は、請求項３において、前記排気体が、端部に向かって軸直方向寸法が小さくなるものである。
【発明の効果】
【００１０】
本発明の請求項１に記載の電気掃除機は、以上のように構成することにより、前記排気体を軸線回りに回動させることで、排気が被清掃面上の塵埃を吹き飛ばさず且つ使用者に当たらない方向に排気口を向けることができる。
【００１１】
なお、前記排気体が、前記掃除機本体の軸線回りに３６０度回動可能であることで、排気が被清掃面上の塵埃を吹き飛ばさず且つ使用者に当たらない方向に、排気口を確実に向けることができる。
【００１２】
また、前記掃除機本体内に電動送風機及び電池が収容されると共に、前記排気体の軸直方向寸法が前記掃除機本体の軸直方向寸法と同じことで、重心的に安定する位置で前記掃除機本体を把持した際に指が前記排気体に触れても、この排気体が把持する上で邪魔にならず、把持し易くすることができる。
【００１３】
更に、前記排気体が、端部に向かって軸直方向寸法が小さくなることで、重心的に安定する位置で前記掃除機本体を把持した際に指が前記排気体に触れても、この排気体が把持する上で邪魔にならず、より把持し易くすることができる。
【図面の簡単な説明】
【００１４】
【図１】本発明の一実施形態を示す電気掃除機の外観図である。
【図２】同、排気体を動かして排気口の向きを変えた状態の外観図である。
【図３】同、使用状態を示す斜視図である。
【発明を実施するための形態】
【００１５】
以下、本発明の実施形態について、図１乃至図３に基づいて説明する。１は本発明の電気掃除機である。この電気掃除機１は、略円筒状の掃除機本体２と、同じく略円筒状の集塵部３とを有する。なお、この電気掃除機１は手持ち型であり、前記掃除機本体２を直接把持して使用される。また、前記掃除機本体２と集塵部３は、共通の軸線Ｘを有する。即ち、前記掃除機本体２と集塵部３は、同軸状である。
【００１６】
前記掃除機本体２内には、電動送風機１５及び電池としての二次電池１６が収容される。そして、前記掃除機本体２には、前記集塵部３が着脱可能に取り付けられる。また、前記掃除機本体２の表面には、スイッチ操作部１７が設けられる。
【００１７】
前記集塵部３は、集塵ケース２１と図示しないフィルター組立体とを有する。前記集塵ケース２１は、ケース本体２２を有し、このケース本体２２の一端側に、吸気口２４が設けられる。
【００１８】
前記掃除機本体２の端部には、排気体４１が前記軸線Ｘ回りに３６０度回動可能に設けられる。なお、この排気体４１は、その外形が、前記掃除機本体２の外形と同じ円形である。また、前記排気体４１の軸線Ｘと直交する方向の寸法（即ち直径）は、前記掃除機本体２の軸線Ｘと直交する方向の寸法（即ち直径）と略等しい。更に、前記排気体４１は、端部に向かうに従って、その直径が凸曲面状に小さくなるように形成される。そして、前記排気体４１には、前記電動送風機１５が形成した気流を軸線Ｘと略直交する方向に排気する排気口４２が形成される。
【００１９】
次に、本実施形態の作用について説明する。まず使用者は、前記掃除機本体２に前記集塵部３を取り付ける。そして、前記掃除機本体２に設けられたスイッチ操作部１７を操作することで、前記二次電池１６からの電力により電動送風機１５を作動させる。そして、前記電気掃除機１を把持し、前記吸込口２４を被清掃面である机上面又は卓上面に近接させることで、発生した吸引気流と共に塵埃が前記吸気口２４から吸引される。そして、図示しないフィルター組立体によって、含塵気流から塵埃が分離され、この分離された塵埃が前記集塵部３内に溜められる。なお、塵埃が分離された吸引気流は、前記フィルター組立体を通過して、前記電動送風機１５に吸引される。そして、前記スイッチ操作部１７を再度操作することで、前記電動送風機１５が停止する。このようにして、吸引掃除が行われる。なお、図３は前記電気掃除機１の持ち方の一例であるが、これ以外の持ち方をしても構わない。
【００２０】
吸引掃除が終了すると、前記集塵部３内に溜まった塵埃を捨てるために、この集塵部３を前記掃除機本体２から取り外す。そして、ごみ箱等の上で、前記集塵部３内に溜まった塵埃をごみ箱等に廃棄することができる。
【００２１】
前述したように、被清掃面が机上面又は卓上面である場合、使用者と前記電気掃除機１との距離は近い。特に、机上面又は卓上面を清掃する場合、前記排気口４２からの排気が使用者の顔に当たる虞がある。また、前記排気口４２からの排気が机上面又は卓上面に向かうと、前記排気口４２から机上面又は卓上面迄の距離が短いので、塵埃を吹き飛ばし易い。しかしながら、前述したように、前記排気体４１を軸線Ｘ回りに３６０度回動させることができるので、前記排気口の向きを、排気が使用者に当たらず、且つ被清掃面上の塵埃を吹き飛ばさないような方向に調節することができる。更に、前記排気体４１を軸線Ｘ回りに３６０度回動させることができるので、使用者の持ち方、利き手、動かし方等の違いによらず、排気が使用者に当たらず、且つ被清掃面上の塵埃を吹き飛ばさないような方向に確実に調節することができる。
【００２２】
なお、小型の前記電気掃除機１は、コードレス式であることが多く、内部に電池としての前記二次電池１６が収容される。そして、前記掃除機本体２内に、重量物としての前記電動送風機１５及び二次電池１６が収容されると、前記電気掃除機１の重心が排気体４１側となる。このため、使用者は、前記電気掃除機１の中央を持つよりも、前記排気体４１側を持つ方が持ち易い。この際、使用者の指が、図３に示すように、前記排気体４１に掛かることがある。しかしながら、前述したように、前記排気体４１の外形が前記掃除機本体２の外形と同じ略円形であり、且つ、前記排気体４１の直径が前記掃除機本体２の直径と同じであるので、前記掃除機本体２を把持した際に、指に違和感がなく持ち易い。また、前述したように、前記排気体４１の直径が、端部に向かうに従って凸曲面状に小さくなるように形成されるので、より持ち易い。更に、図３のような持ち方をした場合、把持した手と反対側の手で前記排気体４１を掴んで回動させる他に、前記掃除機本体２を把持しながら、把持した手の指で前記排気体４１を回動させることができる。
【００２３】
以上のように本発明は、軸線Ｘを有する円筒状の掃除機本体２を把持して使用される小型の電気掃除機１において、前記掃除機本体２の端部に排気体４１が設けられ、この排気体４１に掃除機本体２の軸線Ｘ方向と交差する方向に排気する排気口４２が設けられると共に、前記排気体４１が前記掃除機本体２の軸線Ｘ回りに回動可能に構成されることで、排気が被清掃面上の塵埃を吹き飛ばさず且つ使用者に当たらない方向に前記排気口４２を向けることができるものである。
【００２４】
また本発明は、前記排気体４１が前記掃除機本体２の軸線Ｘ回りに３６０度回動可能であることで、排気が被清掃面上の塵埃を吹き飛ばさず且つ使用者に当たらない方向に、前記排気口４２を確実に向けることができるものである。
【００２５】
また本発明は、前記掃除機本体２内に電動送風機１５及び電池としての二次電池１６が収容されると共に、前記排気体４１の軸直方向寸法である直径が前記掃除機本体の軸直方向寸法である直径と同じことで、重心的に安定する位置で前記掃除機本体２を把持した際に指が前記排気体４１に触れても、この排気体４１が把持する上で邪魔にならず、把持し易くすることができるものである。
【００２６】
更に本発明は、前記排気体４１が、端部に向かって直径が凸曲面状に小さくなることで、重心的に安定する位置で前記掃除機本体２を把持した際に指が前記排気体４１に触れても、この排気体４１が把持する上で邪魔にならず、より把持し易くすることができるものである。
【００２７】
なお、本発明は以上の実施形態に限定されるものではなく、発明の要旨の範囲内で種々の変形実施が可能である。例えば、上記実施形態では、前記排気体は、前記掃除機本体の端部に設けられたが、前記掃除機本体の中間位置に設けても良い。また、上記実施形態では、前記排気口は、前記軸線に対し略直交する方向に排気するように設けられたが、前記軸線に対し斜めに排気するように設けても良い。また、前記排気体に、指を掛けるための凹凸を設けても良い。また、上記実施形態では、前記掃除機本体を、軸線方向を有する形状として円筒状に形成したが、角筒状、或いは裁頭錐体状としても良い。更に、本実施形態では、電池として二次電池を用いたが、一次電池であってもよい。また、二次電池の種類については問わない。
【符号の説明】
【００２８】
１  電気掃除機
２  掃除機本体
１５  電動送風機
１６  二次電池（電池）
４１  排気体
４２  排気口
Ｘ  軸線
【図１】
2020031863.tif 000003
【図２】
2020031863.tif 000004
【図３】
2020031863.tif 000005